(57)【要約】      （修正有）【技術課題】  地震等の災害時に避難所等において、手軽に使用できる簡易便器を提供する。【解決手段】  １枚のプラスチック板を枠体に形成することができると共に、このプラスチック板の上縁に係合部６を突設して成る便器本体１を１枚もので形成する。次に、前記便器本体１の係合部６が下方から貫通して係合することができる係合溝１２を形成すると共に、中央に透穴１０を形成して成る便座止板９と、前記便座止板９に続けて一体成形されていると共に、前記透穴１０に対応する位置に便座穴１６を形成して成る便座板１５と、前記便座板１５に続けて一体成形されている蓋板２０と、から成るプラスチック板製の便座本体８を１枚もので形成する。更に、前記便座止板９と便座板１５との間に周縁２３を挟み込んで固定し、便座穴１６及び透穴１０を介して多角形に形成された便器本体１内に取り付け自在の排泄物収容袋２１を形成し、上記便器本体１と便座本体８を組み立て、これに排泄物収容袋２１を取り付けて使用する。【選択図】        図１
2006149966.tif 000002
【特許請求の範囲】
【請求項１】
１枚のプラスチック板を折り曲げて４角形以上の多角形の枠体に形成することができると共に、前記枠体の上縁に係合部を突設して成る便器本体と、
前記便器本体を多角形状の枠体に形成したときに、その係合部が下方から貫通して係合することができる係合溝を形成すると共に、中央に透穴を形成して成る便座止板と、前記便座止板に折り畳み部を経由して一体に形成されていると共に、前記透穴に対応する位置に便座穴を形成して成る便座板、前記便座板に折り畳み部を経由して一体に形成されていると共に、前記便座板の上面を覆うことができる大きさの蓋板と、から成るプラスチック板製の便座本体と、
前記便座止板と便座板との間に周縁を挟み込んで固定し、便座穴及び透穴を介して多角形に形成された便器本体内に取り付けられる排泄物収容袋と、
から成る簡易便器。
【請求項２】
請求項１に記載の便座止板において、透穴の周囲には、複数箇所に突起が形成されていると共に、排泄物収容袋の周囲及び便座板には、前記突起に対応する位置に固定孔が形成されていて、便座に排泄物収容袋を固定したときに、この突起で排泄物収容袋が止められて、排泄物の重みで落下しないように構成されていることを特徴とする簡易便器。
【請求項３】
請求項１又は２の何れか１項に記載の排泄物収容袋には、密閉手段が形成されていることを特徴とする簡易便器。
【請求項４】
請求項１〜３の何れか１項に記載の排泄物収容袋の内面には、消臭剤が塗布されていることを特徴とする簡易便器。
【請求項５】
請求項１〜４の何れか１項に記載の排泄物収容袋は、プラスチックフィルム又は内面に防水層を形成した紙で製作されていることを特徴とする簡易便器。
【請求項６】
請求項１〜５の何れか１項に記載の排泄物収容袋内には、吸水材が組み込まれていることを特徴とする簡易便器。
【請求項７】
請求項１〜６の何れか１項に記載の排泄物収容袋は、原則として、１回ずつの使い捨てタイプであることを特徴とする簡易便器。
【発明の詳細な説明】
【技術分野】
【０００１】
本発明は、平たく折り畳まれているものを簡単に組み立てて使用することができると共に、不使用時には平たく折り畳んで格納あるいは運搬することができる地震、水害、火災等でトイレが使用できないとき、あるいは、レジャーや乗物内において、手軽に使用できる折り畳み式の簡易便器に関するものである。
【背景技術】
【０００２】
地震や水害等に際してトイレが使用できない時に、簡易に使用できる便器として、特開２００３−１９０８７号公報に掲載されている構造のものが公知である。
この簡易便器は、組立て、折り畳み、収納、および携帯が容易で耐荷重強度に優れた板紙製の折り畳み式簡易便器であって、簡易便器（10）は一枚の板紙の打ち抜き成形により形成されており、最初に一方の便座形成パネル（14R）を水平に折り曲げ、その上に排泄物収納袋（48）の縁枠（52）を載せ、次に他方の便座形成パネル（14L）を水平に折り曲げることにより簡易便器（10）に組立て、使用後は排泄物収納袋（48）を取り出し、逆の順序で簡易便器（10）を薄く折り畳んで収納することができるように構成したものである。
【０００３】
しかし、上記簡易便器には、次のような欠点がある。
１．全体が紙製であることから、雨や水に濡れると強度が著しく低下してしまうため、    使用する場所や天気に気を遣う必要がある。
２．紙製であるため、水で汚れを洗い落とすことができないことから、使用を重ねると    清潔感が無くなる。
３．防臭についての工夫がない。
４．排泄物収容袋について密封手段がないため、処分するときに不便であると共に、内    部からの臭いが周囲に出てしまう。
５．便器に蓋が無いため、そのまま置いておくと抵抗があることから、その都度折り畳    む必要があり、不便であると共に、子供の場合にはこの折り畳みや、使用時の組み立    てができない場合があり、大人がいちいち手を貸す必要がある。
６．屋外等で使用する場合、露出した臀部を隠す手段がない。
【発明の開示】
【発明が解決しようとする課題】
【０００４】
本発明の目的は、上記した１〜６の欠点をすべて解消できる簡易便器を提供することである。
【課題を解決するための手段】
【０００５】
上記目的を達成するため、請求項１に記載の発明においては、簡易便器において、１枚のプラスチック板を折り曲げて４角形以上の多角形の枠体に形成することができると共に、前記枠体の上縁に係合部を突設して成る便器本体と、
前記便器本体を多角形状の枠体に形成したときに、その係合部が下方から貫通して係合することができる係合溝を形成すると共に、中央に透穴を形成して成る便座止板と、前記便座止板に折り畳み部を経由して一体に形成されていると共に、前記透穴に対応する位置に便座穴を形成して成る便座板、前記便座板に折り畳み部を経由して一体に形成されていると共に、前記便座板の上面を覆うことができる大きさの蓋板と、から成るプラスチック板製の便座本体と、
前記便座止板と便座板との間に周縁を挟み込んで固定し、便座穴及び透穴を介して多角形に形成された便器本体内に取り付けられる排泄物収容袋と、
から成ることを特徴とするものである。
【０００６】
更に、請求項２に記載の発明においては、請求項１に記載の便座止板において、透穴の周囲には、複数箇所に突起が形成されていると共に、排泄物収容袋の周囲及び便座板には、前記突起に対応する位置に固定孔が形成されていて、便座に排泄物収容袋を固定したときに、この突起で排泄物収容袋が止められて、排泄物の重みで落下しないように構成されていることを特徴とするものである。
【０００７】
更に、請求項３に記載の発明においては、請求項１又は２の何れか１項に記載の排泄物収容袋には、密閉手段が形成されていることを特徴とするものである。
【０００８】
更に、請求項４に記載の発明においては、請求項１〜３の何れか１項に記載の排泄物収容袋の内面には、消臭剤が塗布されていることを特徴とするものである。
【０００９】
更に、請求項５に記載の発明においては、請求項１〜４の何れか１項に記載の排泄物収容袋は、プラスチックフィルム又は内面に防水層を形成した紙で製作されていることを特徴とするものである。
【００１０】
更に、請求項６に記載の発明においては、請求項１〜５の何れか１項に記載の排泄物収容袋内には、吸水材が組み込まれていることを特徴とするものである。
【００１１】
更に、請求項７に記載の発明においては、請求項１〜６の何れか１項に記載の排泄物収容袋は、原則として、１回ずつの使い捨てタイプであることを特徴とするものである。
【００１２】
[作用]
使用に当っては、先ず便器本体を折り畳み部に沿って折り曲げることにより、平面四角形以上の多角形から成る枠体に形成し、この枠体上に、便座本体の便座止板を置き、便器本体の係合部を係合溝内に下方から貫通させることにより、便器本体側の多角形状の枠体を固定し、併せて便器本体上に便座本体を固定する。次に、排泄物収容袋の周縁を便座止板上に置き、袋を便器本体内に落とし込み、この上に便座板を折り畳んで便座止板上に重ね合わせると、前記排泄物収容袋の周縁は便座止板と便座板の間に挟まれて固定される。
使用する時は、この状態において、便座板の上に腰をかけて行う。
【００１３】
排泄が終った場合には、便座板を開き、便座止板から排泄物収容袋を引き上げ、密閉手段で袋の口を閉じ、そのまま所定の場所に処分する。
次に使用する場合は、上記と同じく排泄物収容袋を便座本体に取り付けて行う。
便器を使用しない場合には、蓋板を閉じておくか、便器本体から便座本体を取り外し、便器本体及び便座本体を平たく折り畳んでおく。
【発明の効果】
【００１４】
本発明の効果は次のとおりである。
１．全体をプラスチック製としたことにより、雨や水によって強度が低下したりしない    。
２．汚れた時は、水を用いて洗うことができる。
３．排泄物収容袋に消臭剤が備えられているため、臭いが出ない。
４．排泄物収容袋には密閉手段があるため、処分するときに臭いが周囲に出ない。
５．便器に蓋があるため、この蓋を閉じておくことで、仮に組み立てたまま人の目につ    くところに置いても、抵抗がない。
６．便座本体に蓋板がついているため、この蓋板を立てて使用することにより、臀部を    外見に晒さないで済む。
【実施例】
【００１５】
以下に、本発明の実施例を、図１〜図５に基づいて詳細に説明する。図１は、本発明に係る簡易便器において、各部品を分解した状態の説明図、図２は、便器本体を展開した状態の説明図、図３（Ａ）は、便座本体を展開した状態の説明図、（Ｂ）は、Ａ−Ａ′線部分の拡大断面図、図４は、本発明便器を使用している状態の説明図、図５は、排泄物を収容した袋を密閉して処分する状態の説明図である。
【００１６】
先ず、便器本体１について説明する。この便器本体１は、図２に示すように、展開した状態において、平板状を呈するプラスチック板製であって、折り畳み部７を中央にして対称的に２枚の前面壁２、２ａを形成し、更に、この前面壁２、２ａの左右に、折り畳み部７を境として対称的に側面壁３、３ａを形成し、更に、この側面壁３、３ａの左右に折り畳み部７を境として対称的に後面壁４、４ａを形成すると共に、この後面壁４、４ａの左右に続いて、折り畳み部７を境として、小幅壁５、５ａを形成し、更に、前記各壁の上縁中央部に、各壁の横幅よりやや小さい幅の係合部６を一体に形成した構成である。
【００１７】
なお、折り畳み部７は、図２（Ｂ）に示すように、外側となる部位にカット部７ａが形成され、内側となる部位には薄肉部７ｂが形成されていて、各壁は、この折り畳み部７で、半折り自在の構造となっている。
８は、便座本体であって、この便座本体８は、図１、図２に示すように、中央に透穴１０を設けると共に、この透穴１０をとり囲むように縁部１１が形成され、更に、この縁部１１には、前記便器本体１を折り畳み部７で多角形の枠体に形成したときに、各係合部６が下方から上向きに貫通して、便器本体１の形状を保つことができるように、係合溝１２が形成されて、更に、上面４ヶ所には突起１３が形成された便座止板９と、更に、この便座止板９に続いて、折り畳み部１４を境にして内側に半折りすることができると共に、中央に前記便座止板９の透穴１０に対応する位置に便座穴１６を形成し、更に、前記突起１３が係合する止穴１８を４ヶ所に形成した便座板１５と、この便座板１５に続いて、折り畳み部１９を境にして外側に半折りできる蓋板２０とが一連に連なるようにして一体に形成されていて、素材はプラスチックである。
なお、この便座本体の折り畳み部１４、１９は、前記した図２（Ｂ）の折り畳み部７と同様に、折り畳み方向に対してその裏面側にカット部７ａが形成され、折り畳み側の内面には薄肉部７ｂが形成されている。
上記した便器本体１と便座本体８は、射出成形で製造されているが、一板のプラスチック板をカットして製造しても良い。
【００１８】
２１は、排泄物収容袋であって、この排泄物収容袋２１は、図１に示すように、紙を素材としていて、内面に防水及び防臭加工（コーティング又はラミネート）が施されていると共に、前記突起１３に嵌め込んで固定するための止孔２４が周囲４ヶ所に形成されている。また、周縁２３の対角位置には、結び片２２、２２ａが一体に形成されている。また、内部には、尿を吸収するための吸水材２６が組み込んである。
なお、結び片２２、２２ａは、結んだときに、袋内を密閉できる位置ならば、どの位置、形状でも良い。また、袋２１の口の部分に、感圧接着剤層、あるいはジッパーを形成して、口を貼り合わせて、あるいは閉じて密閉できるように構成しても良い。
【００１９】
上記構造の簡易便器について、次に使用例を図１及び図４、図５に基づいて説明する。
便器本体１は、図１に示すように、折り畳み部７で内側に折り曲げて、平面６角形状（８角形状）の枠体に形成し、この上に、便座本体８側の便座止板９を水平に置きながら、便座本体１側の係合部６を各係合溝１２内に嵌め込んで、便座本体１に固定し、次に、便座板１５を内側に折り畳んで突起１３を止孔１８に嵌合させて折り重ね、次に、蓋体２０を便座板１５の上に折り重ねて、便座穴１６を閉塞した状態としておく。
次に、排泄時には、蓋板２０及び便座板１５を開き、図５に示した排泄物収容袋２１の止め孔２４を便座下板９の突起１３に通して止め、図４に示すように、袋２１を穴から下に落とし込み、次に便座板１５を再び折り畳んで袋の周縁２３を便座下板９と便座板１５との間に挟み込んで固定し、図４に示すように、便座板１５上に腰掛けるようにして用いる。
【００２０】
排泄が終った時には、便座板１５を開き、排泄物収容袋２１の結び片２２、２２ａを持って袋２１を引き上げ、結び片２２、２２ａをきつく結ぶことにより、内部を密閉して、臭いが外に漏れ出ないようにしてから、所定の方法で処分を行う。このとき、尿は吸水材２６に吸収されているため、漏れ出ることがない。
簡易便器の格納或いは運搬等に際しては、便器本体１及び便座本体８を解体し、便器本体１側は２つ折り又は４つ折り等にして折り畳み、便座本体８側は３つ折りにして折り畳み、両方とも偏平化してしまう。
この結果、小型になると共に、場所をとらなくなり、重ね置きもできるようになる。
なお、排泄物収容袋２１の材質は、紙製のものが、そのまま処分できて便利であり、環境保全にも適しているが、已を得ない場合には、プラスチックフィルム製であっても良い。
【図面の簡単な説明】
【００２１】
【図１】本発明に係る簡易便器の分解斜視図
【図２】便器本体の展開図
【図３】便座本体の展開図
【図４】使用状態の説明図
【図５】排泄物を処分するときの袋の説明図
【符号の説明】
【００２２】
１  便器本体
６  係合縁
８  便座本体
９  便座下板
１２  係合溝
１３  突起
１５  便座板
１８  止孔
２０  蓋板
２１  排泄物収容袋
【図１】
2006149966.tif 000003
【図２】
2006149966.tif 000004
【図３】
2006149966.tif 000005
【図４】
2006149966.tif 000006
【図５】
2006149966.tif 000007